(57)【要約】【課題】ブラケットカバーの汎用性を高めることによりコスト低下を図り、かつ、ブラケットへの衝接時の衝撃吸収能を高めて安全性を向上させた手摺装置の提供を目的とする。【解決手段】手摺設置基体１に固定され、アーム部２を備えた適数のブラケット３と、  前記ブラケット３のアーム部２に設けられた笠木支持部４により支持されて前記手摺設置基体１に沿って配置される手摺笠木５と、  衝撃吸収可能な柔軟なシート状本体６の対向辺縁部に相互に連結可能な連結部７を設けてなり、連結部７同士を着脱可能に連結して前記ブラケット３のアーム部２に巻装されて該アーム部２への衝突時の衝撃を吸収するブラケットカバー８と、  を有する。【選択図】  図１
2015052244.tif 000002
【特許請求の範囲】
【請求項１】
手摺設置基体に固定され、アーム部を備えた適数のブラケットと、
前記ブラケットのアーム部に設けられた笠木支持部により支持されて前記手摺設置基体に沿って配置される手摺笠木と、
衝撃吸収可能な柔軟なシート状本体の対向辺縁部に相互に連結可能な連結部を設けてなり、連結部同士を着脱可能に連結して前記ブラケットのアーム部に巻装されて該アーム部への衝突時の衝撃を吸収するブラケットカバーと、
を有する手摺装置。
【請求項２】
前記シート状本体は伸縮性を有し、前記ブラケットのアーム部に密着状に巻装される請求項１記載の手摺装置。
【請求項３】
前記シート状本体は、衝撃吸収可能なスポンジ層の表裏に柔軟な補強シートを貼り付けて形成される請求項１または２記載の手摺装置。
【請求項４】
前記シート状本体は、クロロプレンスポンジゴム素材によるスポンジ層の表裏面にニット生地による補強シートを接着して形成される請求項３記載の手摺装置。
【請求項５】
前記連結部は、スタッドを備えたフランジ状ベース部材に頭部部材を連結したスタッド部と、スタッドに弾発係止可能なソケットを備えたフランジ状ベース部材に頭部部材を連結したソケット部とからなるスナップボタンにより形成され、
スタッド部、およびソケット部は、頭部部材に設けたフランジ部とフランジ状ベース部材とによりシート状本体を挟み付けて該シート状本体に装着される請求項１、２、３または４記載の手摺装置。
【請求項６】
衝撃吸収可能なスポンジ層の表裏両面を補強シートにより補強した柔軟なシート状本体と、
シート状本体の対向辺縁部に固定され、連結時にシート状本体を筒形状に保形する連結部とを有し、
手摺設置基体に固定されて手摺笠木を支持するブラケットに着脱可能に巻装されて該ブラケットへの衝突時の衝撃を吸収する手摺ブラケットカバー。
【発明の詳細な説明】
【技術分野】
【０００１】
本発明は手摺装置に関するものである。
【背景技術】
【０００２】
壁面等の手摺設置基体に固定されて手摺笠木を支持するブラケットへの衝突時の安全性を向上させた手摺装置としては、特許文献１に記載のものが知られている。
【０００３】
この従来例において、手摺装置はカップ形状に形成された一対のカバー単体からなるブラケットカバーを有し、カバー単体をブラケットを側方から挟み付けるようにして連結させることによりブラケットを覆い、ブラケットの露出を防止する。
【先行技術文献】
【特許文献】
【０００４】
【特許文献１】特開２００４-１４３８３１号公報
【発明の概要】
【発明が解決しようとする課題】
【０００５】
しかし、上述した従来例における手摺装置のカバー単体は、予めブラケットの形状に合わせて成形しておく必要があるために、ブラケットの形状に合致する複数種のカバー単体を設定する必要が生じ、手摺装置全体のコスト上昇の要因となる。
【０００６】
また、カバー単体には保形性を確保するために、一定の硬度を持たせる必要があるが、結果、ブラケットへの装着状態における衝撃吸収能が低下するという問題もある。
【０００７】
本発明は、以上の欠点を解消すべくなされたものであって、ブラケットカバーの汎用性を高めることによりコスト低下を図り、かつ、ブラケットへの衝接時の衝撃吸収能を高めて安全性を向上させた手摺装置の提供を目的とする。
【０００８】
また、本発明の他の目的は、上記手摺装置に使用可能な手摺ブラケットカバーの提供にある。
【課題を解決するための手段】
【０００９】
本発明によれば上記目的は、
手摺設置基体１に固定され、アーム部２を備えた適数のブラケット３と、
前記ブラケット３のアーム部２に設けられた笠木支持部４により支持されて前記手摺設置基体１に沿って配置される手摺笠木５と、
衝撃吸収可能な柔軟なシート状本体６の対向辺縁部に相互に連結可能な連結部７を設けてなり、連結部７同士を着脱可能に連結して前記ブラケット３のアーム部２に巻装されて該アーム部２への衝突時の衝撃を吸収するブラケットカバー８と、
を有する手摺装置を提供することにより達成される。
【００１０】
手摺装置は手摺笠木５を支持するブラケット３のアーム部２にブラケットカバー８を巻装して構成される。ブラケットカバー８は、ブラケット３のアーム部２に衝接した際に十分な衝撃吸収能が発揮できる程度の厚さ、柔軟性を有するシート状本体６を連結部７によりブラケット３のアーム部２に巻装するように構成されており、シート状本体６の衝撃吸収能により衝接時の怪我等を確実に防ぐことが可能になる。
【００１１】
また、シート状本体６は柔軟に形成されているために、巻装するだけでブラケット３の形状等に追随して変化することができるために、ブラケット３の形状が異なっていても使用することが可能になり、汎用性が向上し、さらに、装着作業性も向上する。
【００１２】
さらに、前記シート状本体６は伸縮性を有し、前記ブラケット３のアーム部２に密着状に巻装される手摺装置を構成すると、ブラケット３の大きさ等の違いも吸収可能となるために、ブラケットカバー８の汎用性をより高めることが可能となる上に、ブラケットカバー８装着時のブラケット３の一体感を向上させることが可能になる。
【００１３】
また、前記シート状本体６は、衝撃吸収可能なスポンジ層９の表裏に柔軟な補強シート１０を貼り付けて形成することができる。
【００１４】
シート状本体６は、衝撃吸収能を有すれば、例えば、スポンジ生地、弾性ゴム等により形成することが可能であるが、スポンジ層９の表層に柔軟な補強シート１０を貼り付けることにより、衝撃が負荷された際の破断、断裂等を補強シート１０により防ぐことができるために、長期にわたった使用が可能になる。
【００１５】
また、衝撃吸収能を有する材料は種々存在するが、一般に複数の色仕様を有していないために、そのまま使用すると、デザイン性が低下するが、補強シート１０を貼り付けることがにより外観上の変化を持たせることができるために、デザイン性を向上させることが可能になる。
【００１６】
加えて、スポンジ層９の表層に貼り付けられた補強シート１０は、連結部７の固定部となるために、連結部７のシート状本体６への固定強度の機能が発揮され、結果、連結部７の不用意な脱落、およびそれに伴うブラケット３からの脱離が防止される。
【００１７】
この場合、スポンジ層９には、クロロプレンスポンジゴム素材が、補強シート１０にはニット生地が使用できる。
【００１８】
また、手摺装置を、
前記連結部７は、スタッド１１を備えたフランジ状ベース部材１２に頭部部材１３を連結したスタッド部１４と、スタッド１１に弾発係止可能なソケット１５を備えたフランジ状ベース部材１２に頭部部材１３を連結したソケット部１６とからなるスナップボタンにより形成され、
スタッド部１４、およびソケット部１６は、頭部部材１３に設けたフランジ部１７とフランジ状ベース部材１２とによりシート状本体６を挟み付けて該シート状本体６に装着されるように構成することができる。
【００１９】
シート状本体６は端縁部同士を重合させた状態で連結部７を介して筒形状に連結されるが、連結部７をスナップボタンにより形成することにより、連結部７間に重合代が可変な領域が形成され、筒形状が屈曲する際の自由度が発生する。この結果、連結部７を辺縁部の全長にわたって連続状に形成する場合に比して、ブラケット３の屈曲部に対する追随能が向上する。
【００２０】
さらに、スナップボタンは、
頭部部材１３とソケット１５、あるいはスタッド１１が設けられるフランジ状ベース部材１２と頭部部材１３のフランジ部１７とでシート状本体６を挟んで装着され、頭部部材１３のフランジ部１７、およびフランジ状ベース部材１２は表面の補強シート１０に当接するために、固定強度が高くなり、連結部７の不用意な脱落を効果的に防止することが可能になる。
【００２１】
また、以上の手摺装置には、
衝撃吸収可能なスポンジ層９の表裏両面を補強シート１０により補強した柔軟なシート状本体６と、
シート状本体６の対向辺縁部に固定され、連結時にシート状本体６を筒形状に保形する連結部７とを有し、
手摺設置基体１に固定されて手摺笠木５を支持するブラケット３に着脱可能に巻装されて該ブラケット３への衝突時の衝撃を吸収する手摺ブラケットカバー８を使用することができる。
【発明の効果】
【００２２】
本発明によれば、ブラケットカバーの汎用性を高めることによりコスト低下を図ることができ、かつ、ブラケットへの衝接時の衝撃吸収能を高めて安全性を向上させることができる。
【図面の簡単な説明】
【００２３】
【図１】本発明を示す図で、（ａ）は（ｂ）の１Ａ-１Ａ線断面図、（ｂ）は正面図である。
【図２】ブラケットカバーを示す図で、（ａ）は正面図、（ｂ）は（ａ）の２Ｂ-２Ｂ線断面図、（ｃ）は背面図である。
【図３】ブラケットカバーの断面図で、（ａ）は図２（ｂ）の要部拡大図、（ｂ）は連結部の連結状態を示す図である。
【図４】ブラケットカバーを示す正面図である。
【図５】手摺装置の斜視図で、（ａ）はブラケットカバーを装着する前を示す図、（ｂ）はブラケットカバーの装着途中を示す図である。
【図６】ブラケットカバーの変形例を示す図で、（ａ）は正面図、（ｂ）は背面図である。
【図７】図６のブラケットカバーを使用した手摺装置を示す図で、（ａ）は断面図、（ｂ）は正面図である。
【発明を実施するための形態】
【００２４】
図１以下に示すように、手摺装置は、壁面等の手摺設置基体１に固定されるブラケット３と、ブラケット３により支持されて手摺設置基体１に沿って配設される長尺状の手摺笠木５とを有する。
【００２５】
ブラケット３は、所定の保持強度を確保するるために金属材料により形成され、固定片３ａにおいてボルト１８等を使用して手摺設置基体１に固定される。また、ブラケット３は、固定片３ａから延設されるアーム部２とを有し、手摺笠木５は、上記アーム部２の自由端部に形成される笠木支持部４に固定される。
【００２６】
手摺笠木５は、アルミニウム材の押出型材等により形成され、上記ブラケット３の笠木支持部４にビス１９等を使用して連結される芯材５ａを樹脂被覆体２０により覆って形成される。樹脂被覆２０は、表層に硬質合成樹脂膜２０ａを生成した軟質合成樹脂材によりＣ字断面形状のチューブ形状に形成され、開放端縁が上記芯材５ａとブラケット３の笠木支持部４とにより形成される嵌合用凹部５ｂに嵌合されて所定姿勢で保持される。
【００２７】
手摺笠木５を壁面１から所定間隔離して配置するために、固定片３ａから前方に屈曲されるブラケット３のアーム部２は壁面１からの突出部となっており、衝突時の受傷等、安全性を低下させる要因となる虞があるために、該アーム部２は、ブラケットカバー８により覆われる。
【００２８】
ブラケットカバー８は、図２、３に示すように、シート状本体６の対向側縁に連結部７を設けて形成され、図１に示すように、連結部７同士を連結させることにより、ブラケット３のアーム部２に巻き付けるようにして装着される。
【００２９】
図３に示すように、シート状本体６はスポンジ層９の表裏面に補強シート１０を貼り付けて形成される。本例においては、ウエットスーツ用生地として多用される板厚２ｍｍ程度のクロロプレンゴム製のスポンジ層９の表裏面に板厚０．５ｍｍ程度のナイロン、ポリエステル等のニット生地（ジャージ生地）を貼り付けたものが使用される。
【００３０】
連結部７は、シート状本体６の対向側縁に形成される。連結部７は、対向側縁に位置するもの同士が連結可能であれば、例えば、面ファスナー、ボタンと、ボタンホール等、種々のものが使用可能であるが、本例において、相互に連結可能なプラスチックスナップを対向辺縁に固定することにより形成される。
【００３１】
図２、３に示すように、プラスチックスナップは、シート状本体６の一側縁に配置されるスタッド部１４と、対向側縁に配置されるソケット部１６とを一組として複数組（本例においては３組）取り付けられる。
【００３２】
スタッド部１４は、突起状のスタッド１１を中心部に突設したフランジ状ベース部材１２と、フランジ部１７の裏面に連結突起１３ａが突設された頭部部材１３とから構成され、連結突起１３ａをシート状本体６とフランジ状ベース部材１２に貫通させた後、連結突起１３ａを潰す等して抜け止めすることにより、フランジ状ベース部材１２と頭部部材１３のフランジ部１７とでシート状本体６を挟み付けるようにしてシート状本体６に固定される。
【００３３】
固定状態において、適宜の面積を有するフランジ状ベース部材１２と頭部部材１３のフランジ部１７とが比較的強度の高いニット生地１０に当接するために、不用意な脱落が効果的に防がれる。
【００３４】
一方、ソケット部１６は、裏面に上記スタッド１１に弾発係止可能な凹状のソケット１５を備えたフランジ状ベース部材１２と、裏面に連結突起１３ａが突設された頭部部材１３とから構成され、上述したスタッド部１４と同様に、フランジ状ベース部材１２と頭部部材１３のフランジ部１７とによりシート状本体６を挟み付けて所定位置に固定される。
【００３５】
したがってこの実施の形態において、ブラケットカバー８は、図５に示すように、シート状本体６によりブラケット３のアーム部２を巻きつけた後、スタッド部１４をソケット部１６に弾発係止させて装着することができる。スタッド部１４とソケット部１６との間隔は、ブラケット３のアーム部２の周長よりやや小寸に設定されているために、ブラケットカバー８はシート状本体６は引っ張られて伸びた状態でアーム部２に巻回され、該アーム部２に密着し、所定位置に保持される。
【００３６】
なお、以上においては、３組の連結部７が配置されたブラケットカバー８を示したが、連結部７の数量は適宜変更することが可能であり、この場合、図４に示すように、予め多数の連結部７（図４に示す例では７組）が形成されたシートから適宜切断して使用することができる。
【００３７】
また、ブラケットカバー８を装着した状態でスタッド部１４とソケット部１６のいずれか一方の頭部部材１３が外部に露出することを利用して、該頭部部材１３の形状を、例えば、図６に示すようにハート形に形成する等、装飾的な形状にし、取付状態で正面を向くようにすると、ブラケット３に意匠的処理を施すことができる。
【００３８】
さらに、図７に示す変形例において、ブラケット３の壁面１への固定部近傍は、合成樹脂を射出成形して形成されるケースカバー２１により覆われており、上述したブラケットカバー８と協働してブラケット３のほぼ全域が覆われる。
【符号の説明】
【００３９】
１        手摺設置基体
２        アーム部
３        ブラケット
４        笠木支持部
５        手摺笠木
６        シート状本体
７        連結部
８        ブラケットカバー
９        スポンジ層
１０      補強シート
１１      スタッド
１２      フランジ状ベース部材
１３      頭部部材
１４      スタッド部
１５      ソケット
１６      ソケット部
１７      フランジ部
【図１】
2015052244.tif 000003
【図２】
2015052244.tif 000004
【図３】
2015052244.tif 000005
【図４】
2015052244.tif 000006
【図５】
2015052244.tif 000007
【図６】
2015052244.tif 000008
【図７】
2015052244.tif 000009